(57)【特許請求の範囲】
【請求項１】
ハウジングの内部に偶数個のコンタクトと１個以上の弾性体が配置され、ピンコンタクト同士を接続するコネクタであって、
前記コンタクトは、導電性の板で形成されており、当該板の外周部分に、
前記弾性体の一端を固定するための弾性体固定部と、
同一の線に同時に接触できる位置であって、押し付ける力が加わった場合に、前記弾性体固定部を中心として互いに反対向きのモーメントが発生する位置に配置されている第１接触部と第２接触部と、
を有し、
前記ハウジングは、
２つの前記コンタクトごとに、第１接触部同士と第２接触部同士を対向させ、前記コンタクト同士に引き付けあう力が生じるように前記弾性体を双方の弾性体固定部に固定した状態で、２つの前記コンタクトを収納する１つ以上のコンタクト収納部と、
前記弾性体を固定した２つの前記コンタクトを、前記第２接触部側から前記コンタクト収納部に挿入するための１つ以上のコンタクト挿入口と、
前記コンタクト挿入口側であって、一方のピンコンタクトが、前記コンタクト収納部に収納されたコンタクトの第１接触部同士の間に挿入される位置に設けられた第１ピンコンタクト挿入口と、
前記第１ピンコンタクト挿入口と反対側であって、他方のピンコンタクトが、前記コンタクト収納部に収納されたコンタクトの第２接触部同士の間に挿入される位置に設けられた第２ピンコンタクト挿入口と、
を有する
コネクタ。
【請求項２】
請求項１記載のコネクタであって、
前記コンタクトは、
前記第１接触部側であって、第１接触部と第２接触部とを結んだ線から最も遠い位置に配置された抜け防止部も有し、
前記コンタクト挿入口の長さは、２つの前記コンタクトの第１接触部同士が接触したときの前記抜け防止部同士の距離よりも長く、２つの前記コンタクトの第１接触部同士の間に前記一方のピンコンタクトを挿入したときの前記抜け防止部同士の距離よりも短い
ことを特徴とするコネクタ。
【請求項３】
導電性の板で形成された２つのコンタクトを、前記板の厚み部分に相当する外周部分同士が対向するように、前記板の広い面同士を同一の平面上に配置し、
弾性体を、前記の２つのコンタクトが引き付けあうように前記の２つのコンタクトに取り付け、
前記の２つのコンタクトと１つの弾性体を１組として、１組以上をハウジングの内部に配置し、
前記の２つのコンタクトの間にピンコンタクトを挟むことによって２つのピンコンタクトを電気的に接続するコネクタであって、
前記の２つのコンタクトのそれぞれは、
他方のコンタクトと対向する側の外周部分に形成された２つ突起である第１接触部と第２接触部と、
他方のコンタクトと対向する側の前記第１接触部と前記第２接触部の間に形成された弾性体固定部と、
を有し、
前記の２つのコンタクトは、第１接触部同士が対向し、第２接触部同士が対向し、
前記ハウジングは、
前記の２つのコンタクトと１つの弾性体の組を、前記の２つのコンタクト同士が外周部分を対向させた状態を維持するように収納する１つ以上のコンタクト収納部と、
前記の２つのコンタクトと１つの弾性体の組を、前記第２接触部側から前記コンタクト収納部に挿入するための１つ以上のコンタクト挿入口と、
前記コンタクト挿入口側であって、一方のピンコンタクトが、前記コンタクト収納部に収納されたコンタクトの第１接触部同士の間に挿入される位置に設けられた第１ピンコンタクト挿入口と、
前記第１ピンコンタクト挿入口と反対側であって、他方のピンコンタクトが、前記コンタクト収納部に収納されたコンタクトの第２接触部同士の間に挿入される位置に設けられた第２ピンコンタクト挿入口と、
を有する
コネクタ。
【請求項４】
請求項３記載のコネクタであって、
前記コンタクトは、
前記第１接触部側であって、他方のコンタクトから最も遠い外周部分に配置された抜け防止部も有し、
前記コンタクト挿入口の長さは、前記の２つのコンタクトの第１接触部同士が接触したときの前記抜け防止部同士の距離よりも長く、前記の２つのコンタクトの第１接触部同士の間に前記一方のピンコンタクトを挿入したときの前記抜け防止部同士の距離よりも短い
ことを特徴とするコネクタ。
【請求項５】
請求項１から４のいずれかに記載のコネクタであって、
前記コンタクトは、
前記第２接触部側であって、第２接触部から所定の位置に配置された変位制限部も有し、
前記ハウジングは、
前記変位制限部の移動範囲を限定する変位制限爪も有する
ことを特徴とするコネクタ。
【請求項６】
請求項１から５のいずれかに記載のコネクタであって、
前記コンタクトは、
前記第２接触部側から挿入されるピンコンタクトを前記第２接触部に導くガイド部も有する
ことを特徴とするコネクタ。
【請求項７】
請求項１から６のいずれかに記載のコネクタであって、
前記ハウジングは、
挿入された前記一方のピンコンタクトを把持するための係止部も有する
ことを特徴とするコネクタ。
【請求項８】
請求項１から７のいずれかに記載のコネクタであって、
前記ピンコンタクトは、１つまたは複数のピンコンタクト片を１列に配列したものである
ことを特徴とするコネクタ。
【発明の詳細な説明】
【技術分野】
【０００１】
本発明は、電力供給用のコネクタに関する。
【背景技術】
【０００２】
ピンコンタクト同士を接続するコネクタとしては、特許文献１の技術が従来技術として知られている。図１に特許文献１のコネクタの構成を示す。また、特許文献１の要約には、「第一平形挟持板２を形成する細長導電セグメント１群の一端側に同セグメント１個々の上下変位量を設定する第一上下変位制限軸９を遊貫挿すると共に、同他端側に同セグメント１個々の上下変位量を設定する第二上下変位制限軸１０を遊貫挿し、同様に上記第二平形挟持板３を形成する細長導電セグメント１群の一端側に同セグメント１個々の上下変位量を設定する第三上下変位制限軸１１を遊貫挿すると共に、同他端側に同セグメント１個々の上下変位量を設定する第四上下変位制限軸１２を遊貫挿した電力供給用平形コネクタ。」と示されている。なお、図中の符号は「１…細長導電セグメント、２…第一平形挟持板、３…第二平形挟持板、４…第一平形プラグ挿入口、５…第二平形プラグ挿入口、６…第一平形プラグ、７…第二平形プラグ、９…第一上下変位制限軸、１０…第二上下変位制限軸、１１…第三上下変位制限軸、１２…第四上下変位制限軸、１３…大径孔、１４…接触用突起」のように説明されている。
【先行技術文献】
【特許文献】
【０００３】
【特許文献１】特開２００９−２１８０６３号公報
【発明の概要】
【発明が解決しようとする課題】
【０００４】
しかしながら、従来技術は、複数組の平形挟持板の変位を、平形挟持板を貫通する４本の上下変位制限軸で制限しているので、部品点数が多くなる。また、複数組の平形挟持板を一度に組み立てていかなければならないので、組み立てにくい。本願発明は、部品点数を少なくし、組み立てやすい電力供給用のコネクタを提供することを目的とする。
【課題を解決するための手段】
【０００５】
本発明のコネクタは、ハウジングの内部に偶数個のコンタクトと１個以上の弾性体が配置され、ピンコンタクト同士を接続するコネクタである。コンタクトは、導電性の板で形成されており、当該板の外周部分（板の広い面側から見たときの２次元形状の外周部分、あるいはその厚みに相当する部分）に、弾性体固定部、第１接触部、第２接触部、抜け防止部、ガイド部を有する。ハウジングは、１つ以上のコンタクト収納部、１つ以上のコンタクト挿入口、第１ピンコンタクト挿入口、第２ピンコンタクト挿入口、係止部を有する。
【０００６】
弾性体固定部は、弾性体の一端を固定する。第１接触部と第２接触部は、同一の線に同時に接触できる位置であって、押し付ける力が加わった場合に、弾性体固定部を中心として互いに反対向きのモーメントが発生する位置に配置されている。抜け防止部は、第１接触部側であって、第１接触部と第２接触部とを結んだ線から最も遠い位置に配置されている。ガイド部は、第２接触部側から挿入されるピンコンタクトを第２接触部に導く。
【０００７】
コンタクト収納部は、２つのコンタクトごとに、第１接触部同士と第２接触部同士を対向させ、コンタクト同士に引き付けあう力が生じるように弾性体を双方の弾性体固定部に固定した状態で、２つのコンタクトを収納する。コンタクト挿入口は、コンタクト収納部ごとに形成されており、弾性体を固定した２つのコンタクトを、第２接触部側からコンタクト収納部に挿入するための細長い穴である。第１ピンコンタクト挿入口は、コンタクト挿入口側であって、一方のピンコンタクトが、コンタクト収納部に収納されたコンタクトの第１接触部同士の間に挿入される位置に設けられている。なお、コンタクトが４個以上（２組以上）あり、コンタクト収納部が２個以上ある場合には、第１ピンコンタクト挿入口は、一方のピンコンタクトが、全てのコンタクトの組の第１接触部同士の間に挿入される位置に設けられている。第２ピンコンタクト挿入口は、第１ピンコンタクト挿入口と反対側であって、他方のピンコンタクトが、コンタクト収納部に収納されたコンタクトの第２接触部同士の間に挿入される位置に設けられている。なお、コンタクトが４個以上（２組以上）あり、コンタクト収納部が２個以上ある場合には、第２ピンコンタクト挿入口は、他方のピンコンタクトが、全てのコンタクトの組の第２接触部同士の間に挿入される位置に設けられている。係止部は、挿入された一方のピンコンタクトを把持する。また、コンタクト挿入口のもっとも長い部分の長さは、２つのコンタクトの第１接触部同士が接触したときの抜け防止部同士の距離よりも長く、２つのコンタクトの第１接触部同士の間に一方のピンコンタクトを挿入したときの抜け防止部同士の距離よりも短い。
【０００８】
なお、コンタクトが、さらに第２接触部側であって、第２接触部から所定の位置に配置された変位制限部を有し、ハウジングが、さらに変位制限部の移動範囲を限定する変位制限爪を有してもよい。
【発明の効果】
【０００９】
本発明のコネクタによれば、コンタクトと弾性体以外の部品としては、ハウジングのみでよい。また、２つのコンタクトと弾性体とを１組として、１組ずつハウジングに収納すればよいので、同時に複数組のコンタクトと弾性体とを扱う必要がない。したがって、コネクタを組み立てやすい。
【図面の簡単な説明】
【００１０】
【図１】従来のコネクタの構造を示す図。
【図２】本発明のコネクタの外観図を示す図。
【図３】本発明のコネクタを第２ピンコンタクト挿入口側から見た正面図。
【図４】本発明のコネクタを第１ピンコンタクト挿入口側から見た斜視図であって、第１のピンコンタクトを挿入する前の様子を示す図。
【図５】第１のピンコンタクトを係止する方法を示す図。
【図６】図３のＡ−Ａ線での断面図を示す図。
【図７】第２のピンコンタクトが挿入されたときの様子を示す図。
【図８】第２のピンコンタクトが挿入されたときの別の角度から見た様子を示す図。
【図９】本発明のコネクタが使われるときの様子を示す斜視図。
【図１０】本発明のコネクタの組み立て方を示す図。
【発明を実施するための形態】
【００１１】
以下、本発明の実施の形態について、詳細に説明する。なお、同じ機能を有する構成部には同じ番号を付し、重複説明を省略する。
【実施例１】
【００１２】
図２に本発明のコネクタの外観図を示す。図２（Ａ）は第２ピンコンタクト挿入口側から見た斜視図、図２（Ｂ）は第１ピンコンタクト挿入口側から見た斜視図であって、第１のピンコンタクトが挿入された様子を示す図である。図３は、本発明のコネクタを第２ピンコンタクト挿入口側から見た正面図である。図４は、第１ピンコンタクト挿入口側から見た斜視図であって、第１のピンコンタクトを挿入する前の様子を示す図である。図５に、第１のピンコンタクトを係止する方法を示す。図５（Ａ）は図３のＢ−Ｂ線での断面図、図５（Ｂ）は図５（Ａ）のＣの部分の拡大図である。図６に図３のＡ−Ａ線での断面図を示す。図７に第２のピンコンタクトが挿入されたときの様子を示す。図７（Ａ）は、図３のＡ−Ａ線での断面図であって、第１のピンコンタクトと第２のピンコンタクトの上下方向の位置が一致している場合の様子を示す図である。図７（Ｂ）は、図３のＡ−Ａ線での断面図であって、第１のピンコンタクトと第２のピンコンタクトの上下方向の位置がずれている場合の様子を示す図である。図８に第２のピンコンタクトが挿入されたときの別の角度から見た様子を示す。図８（Ａ）は、図７のＤ−Ｄ線での断面図であって、第１のピンコンタクトと第２のピンコンタクトの左右方向の位置が一致している場合の様子を示す図である。図８（Ｂ）は、図７のＤ−Ｄ線での断面図であって、第１のピンコンタクトと第２のピンコンタクトの左右方向の位置がずれている場合の様子を示す図である。図９は、本発明のコネクタが使われるときの様子を示す斜視図である。
【００１３】
［本発明の構成の説明］
コネクタ１００は、ハウジング３００の内部に偶数個のコンタクト２００と１個以上の弾性体４００が配置され、２つのピンコンタクト９１０、９２０を接続するコネクタである。例えば、ピンコンタクト９１０は固定用穴９１１を有しており（図２参照）、装置９３５側のバスバー９３０にネジ９３１などで固定される（図９参照）。また、ピンコンタクト９２０は固定用穴９２１を有しており（図２参照）、電力源側のバスバー９４０にネジ９４１などで固定される（図９参照）。なお、図中では“−（ハイフン）”を用いてコンタクト２００などを区別した記載をしている。本明細書内の説明では、コンタクト２００−１と２００−２とを区別する必要がないときには、単にコンタクト２００と表記し、ハイフン以下を省略して説明する。
【００１４】
コンタクト２００は、導電性の板で形成されている。例えば、銅合金の板などで形成すればよい。コンタクト２００は、当該板の外周部分（板の広い面側から見たときの２次元形状の外周部分、あるいはその厚みに相当する部分）に、弾性体固定部２３０、第１接触部２１０、第２接触部２２０、抜け防止部２４０、ガイド部２５０を有する（図６参照）。ハウジング３００は、１つ以上のコンタクト収納部３１０、１つ以上のコンタクト挿入口３２０、第１ピンコンタクト挿入口３３０、第２ピンコンタクト挿入口３４０、係止部３７０を有す。弾性体４００は、例えばコイルバネを用いればよいが、これに限定する必要は無い。２つのコンタクト２００−１、２に、互いに引付けあうような力を生じさせることができれば、他の弾性体でもかまわない。
【００１５】
弾性体固定部２３０は、弾性体４００の一端を固定する。第１接触部２１０と第２接触部２２０は、同一の線に同時に接触できる位置に配置されている。また、第１接触部２１０と第２接触部２２０は、対向する第１接触部２１０−１、２同士、第２接触部２２０−１、２同士が押し付ける力が加わった場合に、弾性体固定部２３０を中心として互いに反対向きのモーメントが発生する位置に配置されている。抜け防止部２４０は、第１接触部２１０側であって、第１接触部２１０と第２接触部２２０とを結んだ線から最も遠い位置に配置されている。ガイド部２５０は、第２接触部２２０側から挿入されるピンコンタクト９２０を第２接触部２２０に導くようにテーパ状になっている。
【００１６】
コンタクト収納部３１０は、２つのコンタクト２００−１、２ごとに、第１接触部２１０−１、２同士と第２接触部２２０−１、２同士を対向させ、コンタクト２００−１、２同士に引き付けあう力が生じるように弾性体４００を双方の弾性体固定部２３０−１、２に固定した状態で、２つのコンタクト２００−１、２を収納する。より具体的には、弾性体４００がある部分は、弾性体４００の大きさに合わせた空間を確保し、その他の空間の幅がコンタクト２００−１、２の板厚より少し広くなるように形成すればよい。コンタクト収納部３１０とコンタクト２００−１、２との隙間が、コンタクト２００−１、２が移動可能な範囲である。コンタクト２００−１、２の形状やコンタクト収納部３１０の空間の形状としては様々な選択肢があるので、第１接触部２１０と第２接触部２２０の移動可能な範囲を高い自由度で設計できる。
【００１７】
コンタクト挿入口３２０は、コンタクト収納部３１０ごとに形成されており、弾性体４００を固定した２つのコンタクト２００−１、２を、第２接触部２２０−１、２側からコンタクト収納部３１０に挿入するための細長い長方形の穴である。
【００１８】
第１ピンコンタクト挿入口３３０は、コンタクト挿入口３２０側であって、ピンコンタクト９１０が、コンタクト収納部３１０に収納されたコンタクト２００−１、２の第１接触部２１０−１、２同士の間に挿入される位置に設けられている。なお、コンタクト２００が４個以上（２組以上）あり、コンタクト収納部３１０が２個以上ある場合には、第１ピンコンタクト挿入口３３０は、ピンコンタクト９１０が、全てのコンタクト２００の組の第１接触部２１０−１、２同士の間に挿入される位置に設けられている。図２のコネクタの場合、コンタクト収納部３１０が３個あり、第１ピンコンタクト挿入口３３０は、３組のコンタクト２００の第１接触部２１０−１、２同士の間に挿入される位置に設けられている。
【００１９】
第２ピンコンタクト挿入口３４０は、第１ピンコンタクト挿入口３３０と反対側であって、ピンコンタクト９２０が、コンタクト収納部３１０に収納されたコンタクト２００−１、２の第２接触部２２０−１、２同士の間に挿入される位置に設けられている。なお、コンタクトが４個以上（２組以上）あり、コンタクト収納部３１０が２個以上ある場合には、第２ピンコンタクト挿入口３４０は、ピンコンタクト９２０が、全てのコンタクト２００の組の第２接触部２２０−１、２同士の間に挿入される位置に設けられている。図２のコネクタの場合、コンタクト収納部３１０が３個あり、第２ピンコンタクト挿入口３４０は、３組のコンタクト２００の第２接触部２２０−１、２同士の間に挿入される位置に設けられている。
【００２０】
係止部３７０は、挿入されたピンコンタクト９１０を把持する。例えば、図４のように、ピンコンタクト９１０の先端部分が全体よりも幅広となるように、ピンコンタクト９１０に爪部９１２を形成しておく。そして、図５に示すように、ピンコンタクト９１０を挿入したときに引っかかる爪状の係止部３７０をハウジング３００内に形成すればよい。
【００２１】
また、コンタクト挿入口３２０のもっとも長い部分の長さ（長方形の穴の長辺の長さ）は、２つのコンタクト２００−１、２の第１接触部２１０−１、２同士が接触したときの抜け防止部２４０−１、２同士の距離よりも長く、２つのコンタクト２００−１、２の第１接触部２１０−１、２同士の間にピンコンタクト９１０を挿入したときの抜け防止部２４０−１、２同士の距離よりも短い。したがって、ピンコンタクト９１０を挿入した後は、コンタクト２００−１、２は抜けなくなる。
【００２２】
上述のように、コンタクト収納部３１０とコンタクト２００−１、２との隙間が、コンタクト２００−１、２が移動可能な範囲である。つまり、第１接触部２１０は、抜け防止部２４０とハウジング３００との隙間の範囲で移動できる。また、第２接触部２２０は、コンタクト２００の第２接触部２２０側の形状とコンタクト収納部３１０の空間の形状との隙間によって移動できる範囲が決まる。そこで、第２接触部２２０の移動範囲を制限しやすくするために、コンタクト２００が変位制限部２６０、２６１を有し、ハウジング３００が変位制限爪３５０を有してもよい（図６参照）。変位制限部２６０、２６１は、第２接触部２２０側であって、第２接触部２２０から所定の位置に配置されている。「所定の位置」とは、変位制限爪３５０との関係から第２接触部２２０が移動できる範囲を制限するようにあらかじめ定めた位置である。変位制限爪３５０は、コンタクト収納部３１０の第２ピンコンタクト挿入口３４０付近に配置され、変位制限部２６０、２６１の移動範囲を限定する。変位制限部２６０と変位制限爪３５０は、第２接触部２２０がピンコンタクト９２０から離れる方向に移動できる範囲を決める役目を果たし、変位制限部２６１と変位制限爪３５０は、第２接触部２２０がピンコンタクト９２０に近づく方向に移動できる範囲を決める役目を果たす。つまり、第２接触部２２０は、変位制限部２６０、２６１の間隔から変位制限爪３５０の厚さを引いた長さだけ移動できる。
【００２３】
また、ハウジング３００の外壁部分には、ハウジングを把持するための把持部３９０を備えてもよい。さらに、第２ピンコンタクト挿入口３４０側に、コンタクト収納部３１０の内部を目視できる穴３６０を備えてもよい。
【００２４】
上述の説明では、ピンコンタクト９１０、９２０は、それぞれ１つの導体で形成されていた。しかし、複数のピンコンタクト片を横に配列させ、１つのピンコンタクトとしてもよい。このように考える場合、上述の説明は、１つのピンコンタクト片で１つのピンコンタクトが構成されている例に相当すると考えればよい。１つのピンコンタクトを複数のピンコンタクト片で構成する例としては、Ｎ個（Ｎは２以上の整数）のピンコンタクト片９１０’−１，…，Ｎ、９２０’−１，…，Ｎを、ピンコンタクト片同士の間に隙間を設けた上で横に並べたものを、ピンコンタクト９１０、９２０とすれる例がある。そして、ピンコンタクト片９１０’−ｎとピンコンタクト片９２０’−ｎ（ｎは１からＮの整数）が同じコンタクト２１０−１、２に挿入されるように配置すれば、Ｎ組のピンコンタクト片を接続するコネクタとして用いることもできる（ただし、コンタクト２１０−１、２もＮ組以上必要である）。また、一方のピンコンタクトのピンコンタクト片の数と他方のピンコンタクトのピンコンタクト片の数が異なってもよい。例えば、幅の広い１つのピンコンタクト片９１０’−１をピンコンタクト９１０とし、幅の狭い３つのピンコンタクト片９２０’−１，２，３をピンコンタクト９２０として、ピンコンタクト片９２０’−１，２，３のそれぞれをピンコンタクト９１０と接続してもよい。
【００２５】
［本発明の構成の異なる表現での説明］
本発明のコネクタの構成、特にコンタクトの部分の構成を異なる表現を用いて説明すると以下のようになる。なお、この説明は最初の説明の内容を限定するものではなく、最初の説明では理解しにくい部分を補充するための説明である。
【００２６】
コネクタ１００では、導電性の板で形成された２つのコンタクト２００−１、２を、板の厚み部分に相当する外周部分同士が対向するように、板の広い面同士を同一の平面上に配置し、弾性体４００を、２つのコンタクト２００−１、２が引き付けあうように２つのコンタクト２００−１、２に取り付ける（図６参照）。なお、「同一平面」とは、厳密な意味での同一平面ではなく、ピンコンタクト９１０、９２０がないときに、外周部分同士が接触する程度に同一であればよい。２つのコンタクト２００−１、２と１つの弾性体４００を１組として、１組以上をハウジング３００の内部に配置する。そして、２つのコンタクト２００−１、２の間にピンコンタクト９１０、９２０を挟むことによって２つのピンコンタクト９１０、９２０を電気的に接続する。
【００２７】
２つのコンタクト２００−１、２のそれぞれは、第１接触部２１０−１、２、第２接触部２２０−１、２、弾性体固定部２３０−１、２、抜け防止部２４０−１、２、ガイド部２５０−１、２を有する。第１接触部２１０−１、２と第２接触部２２０−１、２は、他方のコンタクト２００−２、１と対向する側の外周部分に形成された２つ突起である。弾性体固定部２３０−１、２は、他方のコンタクト２００−２、１と対向する側であって、第１接触部２１０−１、２と第２接触部２２０−１、２の間に形成されている。抜け防止部２４０−１、２は、第１接触部２１０−１、２側であって、他方のコンタクト２００−２、１から最も遠い外周部分に配置されている。ガイド部２５０−１、２は、第２接触部２２０−１、２側であって、ピンコンタクト９２０を第２接触部に導く。そして、２つのコンタクト２００−１、２は、第１接触部２１０−１、２同士が対向し、第２接触部２２０−１、２同士が対向するように配置されている。
【００２８】
ハウジング３００は、１つ以上のコンタクト収納部３１０、コンタクト収納部３１０と同じ数のコンタクト挿入口３２０、第１ピンコンタクト挿入口３３０、第２ピンコンタクト挿入口３４０、係止部３７０を備える。コンタクト収納部３１０は、２つのコンタクト２００−１、２と１つの弾性体４００の組を、２つのコンタクト２００−１、２同士が外周部分を対向させた状態を維持するように収納する。コンタクト挿入口３２０は、２つのコンタクト２００−１、２と１つの弾性体４００の組を、第２接触部２２０−１、２側からコンタクト収納部３１０に挿入するための細長い長方形の穴である。第１ピンコンタクト挿入口３３０は、コンタクト挿入口３２０側であって、ピンコンタクト９１０が、コンタクト収納部３１０に収納されたコンタクト２００−１、２の第１接触部２１０−１、２同士の間に挿入される位置に設けられている。第２ピンコンタクト挿入口３４０は、第１ピンコンタクト挿入口３３０と反対側であって、ピンコンタクト９２０が、コンタクト収納部３１０に収納されたコンタクト２００−１、２の第２接触部２２０−１、２同士の間に挿入される位置に設けられている。係止部３７０は、挿入されたピンコンタクト９１０を把持する。
【００２９】
コンタクト挿入口３２０の長さ（長方形の穴の長辺の長さ）は、２つのコンタクト２００−１、２の第１接触部２１０−１、２同士が接触したときの抜け防止部２４０−１、２同士の距離よりも長く、２つのコンタクト２００−１、２の第１接触部２１０−１、２同士の間にピンコンタクト９１０を挿入したときの抜け防止部２４０−１、２同士の距離よりも短い。
【００３０】
なお、ピンコンタクト９１０、９２０を複数のピンコンタクト片で構成する場合の説明は、重複説明になるので省略する。
【００３１】
［ピンコンタクト同士のずれへの対応］
ピンコンタクト９１０とピンコンタクト９２０とは、必ずしも正確に位置合わせされているわけではない。そこで、次にピンコンタクト９１０とピンコンタクト９２０との位置がずれた場合のコネクタ１００の状態について図７と図８を用いて説明する。なお、以下の説明での上下方向、左右方向とは、図面上の方向である。実際にはコネクタが取り付けられる向きによって、上下左右の方向は変わることに注意されたい。
【００３２】
ピンコンタクト９１０とピンコンタクト９２０の上下方向の位置が一致している場合は、図７（Ａ）のようになる。このとき、コンタクト２００−１、２は単純に上下に離れ、弾性体４００の力でピンコンタクト９１０、９２０を挟みつける。ピンコンタクト９１０とピンコンタクト９２０の上下方向の位置がずれている場合、図７（Ｂ）のようにコンタクト２００−１、２は傾きながら離れ、弾性体４００の力でピンコンタクト９１０、９２０を挟みつける。このときにコンタクト２００−１、２がどの程度傾くことを許容するのかは、コンタクト２００−１、２の移動可能範囲を設計するときに決めればよい。
【００３３】
図８（Ａ）は、ピンコンタクト９１０とピンコンタクト９２０の左右方向の位置が一致している場合の様子を示す図であり、図８（Ｂ）は、ピンコンタクト９１０とピンコンタクト９２０の左右方向の位置がずれている場合の様子を示す図である。左右方向のずれに対しては、第２ピンコンタクト挿入口３４０の幅を広げることと、コンタクト収納部３１０の位置の設計で対応できる。
【００３４】
また、ピンコンタクト９１０とピンコンタクト９２０とがねじれている場合は、上下方向の位置のずれが、コンタクト収納部３１０ごとに異なることになる。コネクタ１００の場合であれば、コンタクト収納部３１０ごとに、コンタクトと弾性体の組は独立に移動可能なので、図７を用いて説明したように対応できる。
【００３５】
［組み立て方法］
図１０は、本発明のコネクタの組み立て方を示す図である。図１０（Ａ）は１つ目のコンタクトにコイルバネの一端を取り付ける工程、図１０（Ｂ）は２つ目のコンタクトにコイルバネの他端を取り付ける工程、図１０（Ｃ）はハウジングにコンタクトを挿入する工程を示す図であり、図１０（Ｄ）は完成図を示す図である。
【００３６】
図１０（Ａ）と図１０（Ｂ）に示すように、弾性体４００を、２つのコンタクト２００−１、２が引き付けあうように２つの弾性体固定部２３０−１、２に取り付ける。なお、弾性体４００には、例えば、両端に鍵爪４０１、４０２を有するコイルバネを用いればよい。そして、２つのコンタクト２００−１、２を、板の厚み部分に相当する外周部分同士が対向するように、板の広い面同士を同一の平面上に配置する。
【００３７】
そして、図１０（Ｃ）と図１０（Ｄ）に示すように、２つのコンタクト２００−１、２と１つの弾性体４００を１組として、１組以上をハウジング３００の内部（コンタクト収納部３１０）に配置する。図１０（Ｃ）では、３組の２つのコンタクト２００−１、２と１つの弾性体４００が示されているが、それぞれは繋がっていないので（独立なので）、１組ずつコンタクト収納部３１０に収納すればよい。
【００３８】
本発明のコネクタによれば、コンタクトと弾性体以外の部品としては、ハウジングのみでよい。また、２つのコンタクトと弾性体とを１組として、１組ずつハウジングに収納すればよいので、同時に複数組のコンタクトと弾性体とを扱う必要がない。したがって、コネクタを組み立てやすい。さらに、特許文献１の技術が、１つの平形挟持板の移動範囲を大径孔と変位制限軸との隙間のみで調整しているのに対し、本願発明はコンタクトの移動範囲をハウジングとの隙間や、変位制限部と変位制限爪で調整しているので、移動範囲の設計自由度を確保しやすい。
【符号の説明】
【００３９】
１００  コネクタ                  ２００  コンタクト
２１０  第１接触部                ２２０  第２接触部
２３０  弾性体固定部              ２４０  抜け防止部
２５０  ガイド部                  ２６０、２６１  変位制限部
３００  ハウジング                ３１０  コンタクト収納部
３２０  コンタクト挿入口          ３３０  第１ピンコンタクト挿入口
３４０  第２ピンコンタクト挿入口  ３５０  変位制限爪
３６０  穴                        ３７０  係止部
３９０  把持部                    ４００  弾性体
４０１、４０２  鍵爪              ９１０、９２０  ピンコンタクト
９３０、９４０  バスバー          ９１１、９２１  固定用穴
９１２  爪部                      ９３１、９４１  ネジ
９３５  装置
【図１】
0005530310.tif 000002
【図２】
0005530310.tif 000003
【図３】
0005530310.tif 000004
【図４】
0005530310.tif 000005
【図５】
0005530310.tif 000006
【図６】
0005530310.tif 000007
【図７】
0005530310.tif 000008
【図８】
0005530310.tif 000009
【図９】
0005530310.tif 000010
【図１０】
0005530310.tif 000011